(57)【要約】【課題】複数枚の硬貨を処理する際の操作者の負担を軽減する。【解決手段】投入部（11）は、複数枚の硬貨を１枚ずつ繰り出す。搬送部（13）は、投入部（11）から繰り出された硬貨を搬送する。撮像部（120）は、搬送部（13）により搬送される硬貨を撮像して硬貨の画像を取得する。表示部（412）は、撮像部（120）により取得された硬貨の画像を表示する。情報入力部（411）には、硬貨に関する情報が入力される。制御部（40）は、撮像部（120）により取得された硬貨の画像が表示部（412）に表示されて硬貨に関する情報が情報入力部（411）に入力される判別処理において、撮像部（120）により取得された硬貨の画像と情報入力部（411）に入力された硬貨に関する情報とを紐付ける。【選択図】図７
2019105902.tif 000002
【特許請求の範囲】
【請求項１】
硬貨を処理する硬貨処理装置であって、
複数枚の硬貨を１枚ずつ繰り出す投入部と、
前記投入部から繰り出された硬貨を搬送する搬送部と、
前記搬送部により搬送される硬貨を撮像して該硬貨の画像を取得する撮像部と、
前記撮像部により取得された前記硬貨の画像を表示する表示部と、
前記硬貨に関する情報が入力される情報入力部と、
前記撮像部により取得された前記硬貨の画像が前記表示部に表示されて該硬貨に関する情報が前記情報入力部に入力される判別処理において、該撮像部により取得された該硬貨の画像と該情報入力部に入力された該硬貨に関する情報とを紐付ける制御部とを備えている
ことを特徴とする硬貨処理装置。
【請求項２】
請求項１において、
前記搬送部により搬送される硬貨を識別する識別部と、
前記硬貨を金種別に収納する金種別硬貨収納部と、
前記制御部により前記画像と前記情報とが紐付けられた硬貨である判別硬貨を収納する判別硬貨収納部とを備え、
前記制御部は、前記複数枚の硬貨を入金する入金処理において、前記投入部に投入されて該投入部から繰り出された硬貨が前記識別部において識別されて該識別部による識別結果に応じて前記金種別硬貨収納部に搬送されるように前記硬貨処理装置の動作を制御する
ことを特徴とする硬貨処理装置。
【請求項３】
請求項２において、
前記撮像部により撮像された硬貨を集積して該硬貨を前記判別硬貨収納部に放出するように構成された中間集積部を備え、
前記制御部は、前記判別処理において、前記中間集積部に集積されている硬貨について前記撮像部により撮像された該硬貨の画像と前記情報入力部により入力された該硬貨に関する情報との紐付けが完了すると、該中間集積部に集積されている硬貨が前記判別硬貨収納部に放出されるように前記硬貨処理装置の動作を制御する
ことを特徴とする硬貨処理装置。
【請求項４】
請求項３において、
前記中間集積部は、その内部に集積されている硬貨を取り出し可能に構成され、
前記制御部は、
前記入金処理において、前記投入部に投入されて該投入部から繰り出された硬貨が前記識別部において識別されて該識別部による識別結果に応じて前記金種別硬貨収納部または前記中間集積部に搬送されるように前記硬貨処理装置の動作を制御し、
前記入金処理の後に行われる前記判別処理において、前記中間集積部から取り出された硬貨を前記投入部に投入することを指示するための情報を出力し、該投入部に投入されて該投入部から繰り出された硬貨が前記撮像部により撮像されて該中間集積部に搬送されるように前記硬貨処理装置の動作を制御する
ことを特徴とする硬貨処理装置。
【請求項５】
請求項３において、
前記制御部は、
前記入金処理において、前記投入部に投入されて該投入部から繰り出された硬貨が前記撮像部において撮像され且つ前記識別部において識別されて該識別部による識別結果に応じて前記金種別硬貨収納部または前記中間集積部に搬送されるように前記硬貨処理装置の動作を制御し、
前記入金処理の後に行われる前記判別処理において、前記中間集積部に集積されている硬貨について前記撮像部により取得された該硬貨の画像と前記情報入力部に入力された該硬貨に関する情報との紐付けが完了すると、該中間集積部に集積されている硬貨が前記判別硬貨収納部に放出されるように前記硬貨処理装置の動作を制御する
ことを特徴とする硬貨処理装置。
【請求項６】
請求項４または５において、
前記撮像部は、前記識別部に搭載されている
ことを特徴とする硬貨処理装置。
【請求項７】
請求項３〜６のいずれか１項において、
返却すべき硬貨を集積する返却箱を備え、
前記中間集積部は、該中間集積部に集積されている硬貨を前記判別硬貨収納部と前記返却箱とに選択的に放出するように構成されている
ことを特徴とする硬貨処理装置。
【請求項８】
請求項３〜７のいずれか１項において、
前記判別硬貨収納部は、前記判別硬貨を収納する第１判別硬貨収納部と、該第１判別硬貨収納部とは異なる種別の前記判別硬貨を収納する第２判別硬貨収納部とを含み、
前記中間集積部は、該中間集積部に集積されている硬貨を前記第１判別硬貨収納部と前記第２判別硬貨収納部とに選択的に放出するように構成されている
ことを特徴とする硬貨処理装置。
【発明の詳細な説明】
【技術分野】
【０００１】
ここに開示する技術は、硬貨処理装置に関する。
【背景技術】
【０００２】
従来、硬貨を処理する硬貨処理装置が知られている。例えば、特許文献１には、変形貨や汚損貨や記念貨や旧貨などの入金不能硬貨を処理する硬貨処理装置が開示されている。この硬貨処理装置は、硬貨を収納する収納部と、収納部に収納される前の硬貨を撮像して硬貨の画像データを取得する撮像部と、収納部に収納される硬貨に関する情報を入力するための入力部と、撮像部により取得された硬貨の画像データと硬貨に係る入力部による入力データとを紐付ける制御部とを備えている。
【先行技術文献】
【特許文献】
【０００３】
【特許文献１】特開２０１５−１８３０４号公報
【発明の概要】
【発明が解決しようとする課題】
【０００４】
しかしながら、特許文献１の硬貨処理装置では、操作者が硬貨を１枚ずつ硬貨処理装置の入金口（入金位置）に載置することになる。そのため、複数枚の硬貨を処理する際の操作性が良好ではなく、複数枚の硬貨の処理に手間がかかる。
【０００５】
そこで、ここに開示する技術は、複数枚の硬貨を処理する際の操作者の負担を軽減することが可能な硬貨処理装置を提供することを目的とする。
【課題を解決するための手段】
【０００６】
ここに開示する技術は、硬貨を処理する硬貨処理装置に関し、この硬貨処理装置は、複数枚の硬貨を１枚ずつ繰り出す投入部と、前記投入部から繰り出された硬貨を搬送する搬送部と、前記搬送部により搬送される硬貨を撮像して該硬貨の画像を取得する撮像部と、前記撮像部により取得された前記硬貨の画像を表示する表示部と、前記硬貨に関する情報が入力される情報入力部と、前記撮像部により取得された前記硬貨の画像が前記表示部に表示されて該硬貨に関する情報が前記情報入力部に入力される判別処理において、該撮像部により取得された該硬貨の画像と該情報入力部に入力された該硬貨に関する情報とを紐付ける制御部とを備えている。
【０００７】
前記の構成では、操作者は、複数枚の硬貨を硬貨処理装置に投入して硬貨処理装置に判別処理を行わせることができる。これにより、操作者が複数枚の硬貨を１枚ずつ硬貨処理装置の入金位置に載置する場合よりも、操作者の負担を軽減することができる。
【０００８】
前記硬貨処理装置は、前記搬送部により搬送される硬貨を識別する識別部と、前記硬貨を金種別に収納する金種別硬貨収納部と、前記制御部により前記画像と前記情報とが紐付けられた硬貨である判別硬貨を収納する判別硬貨収納部とを備えていてもよい。そして、前記制御部は、前記複数枚の硬貨を入金する入金処理において、前記投入部に投入されて該投入部から繰り出された硬貨が前記識別部において識別されて該識別部による識別結果に応じて前記金種別硬貨収納部に搬送されるように前記硬貨処理装置の動作を制御するように構成されていてもよい。
【０００９】
前記の構成では、制御部により画像と情報とが紐付けられた硬貨（判別硬貨）を金種別硬貨収納部（硬貨を金種別に収納する収納部）とは異なる収納部に収納することができる。これにより、判別硬貨の管理を厳格に行うことができる。
【００１０】
前記硬貨処理装置は、前記撮像部により撮像された硬貨を集積して該硬貨を前記判別硬貨収納部に放出するように構成された中間集積部を備えていてもよい。そして、前記制御部は、前記判別処理において、前記中間集積部に集積されている硬貨について前記撮像部により撮像された該硬貨の画像と前記情報入力部により入力された該硬貨に関する情報との紐付けが完了すると、該中間集積部に集積されている硬貨が前記判別硬貨収納部に放出されるように前記硬貨処理装置の動作を制御するように構成されていてもよい。
【００１１】
前記の構成では、撮像部により撮像された硬貨を中間集積部に一時的に保留することができる。これにより、撮像部により撮像された硬貨の画像と情報入力部により入力された硬貨に関する画像とを紐付ける処理（以下「紐付け処理」と記載）を連続して行うことができるので、操作者の負担を軽減することができる。
【００１２】
前記中間集積部は、その内部に集積されている硬貨を取り出し可能に構成されていてもよい。そして、前記制御部は、前記入金処理において、前記投入部に投入されて該投入部から繰り出された硬貨が前記識別部において識別されて該識別部による識別結果に応じて前記金種別硬貨収納部または前記中間集積部に搬送されるように前記硬貨処理装置の動作を制御し、前記入金処理の後に行われる前記判別処理において、前記中間集積部から取り出された硬貨を前記投入部に投入することを指示するための情報を出力し、該投入部に投入されて該投入部から繰り出された硬貨が前記撮像部により撮像されて該中間集積部に搬送されるように前記硬貨処理装置の動作を制御するように構成されていてもよい。
【００１３】
前記の構成では、入金処理において中間集積部に搬送された硬貨（すなわち金種別硬貨収納部に搬送されなかった入金不能硬貨）に対して判別処理を行うことができる。また、判別処理において中間集積部から取り出された硬貨を投入部に投入することを指示するための情報を出力することにより、操作者が中間集積部から硬貨を取り出して投入部に投入するときに中間集積部から取り出された硬貨を操作者に目視で確認させることができる。これにより、硬貨に関する情報を操作者に正確に入力させることができる。
【００１４】
前記制御部は、前記入金処理において、前記投入部に投入されて該投入部から繰り出された硬貨が前記撮像部において撮像され且つ前記識別部において識別されて該識別部による識別結果に応じて前記金種別硬貨収納部または前記中間集積部に搬送されるように前記硬貨処理装置の動作を制御し、前記入金処理の後に行われる前記判別処理において、前記中間集積部に集積されている硬貨について前記撮像部により取得された該硬貨の画像と前記情報入力部に入力された該硬貨に関する情報との紐付けが完了すると、該中間集積部に集積されている硬貨が前記判別硬貨収納部に放出されるように前記硬貨処理装置の動作を制御するように構成されていてもよい。
【００１５】
前記の構成では、入金処理において中間集積部に搬送された硬貨（すなわち金種別硬貨収納部に搬送されなかった入金不能硬貨）に対して判別処理を行うことができる。また、判別処理において中間集積部から硬貨を取り出すことなく紐付け処理（撮像部により取得された硬貨の画像と情報入力部に入力された硬貨に関する情報とを紐付ける処理）を行うことができるので、操作者の負担を軽減することができる。
【００１６】
前記撮像部は、前記識別部に搭載されていてもよい。
【００１７】
前記の構成では、撮像部が識別部に搭載されていない場合（撮像部が識別部と別体に構成されていている場合）よりも、硬貨処理装置の部品点数を削減することができる。
【００１８】
前記硬貨処理装置は、返却すべき硬貨を集積する返却箱を備えていてもよい。そして、前記中間集積部は、該中間集積部に集積されている硬貨を前記判別硬貨収納部と前記返却箱とに選択的に放出するように構成されていてもよい。
【００１９】
前記の構成では、中間集積部に集積されている硬貨を返却することができる。
【００２０】
前記判別硬貨収納部は、前記判別硬貨を収納する第１判別硬貨収納部と、該第１判別硬貨収納部とは異なる種別の前記判別硬貨を収納する第２判別硬貨収納部とを含んでいてもよい。そして、前記中間集積部は、該中間集積部に集積されている硬貨を前記第１判別硬貨収納部と前記第２判別硬貨収納部とに選択的に放出するように構成されていてもよい。
【００２１】
前記の構成では、中間集積部に集積されている硬貨（判別硬貨）を第１判別硬貨収納部と第２判別硬貨収納部とに振り分けることができる。これにより、判別硬貨を種別毎に管理することができる。
【発明の効果】
【００２２】
以上のように、ここに開示する技術によれば、複数枚の硬貨を処理する際の操作者の負担を軽減することができる。
【図面の簡単な説明】
【００２３】
【図１】実施形態１による硬貨処理装置の外観を例示する斜視図である。
【図２】実施形態１による硬貨処理装置の内部構成を例示する正面図である。
【図３】実施形態１による硬貨処理装置の内部構成を例示する上面図である。
【図４】実施形態１による硬貨処理装置の内部構成を例示する左側面図である。
【図５】実施形態１による硬貨処理装置の内部構成を例示する右側面図である。
【図６】実施形態１による硬貨処理装置の内部構成の一部を例示する正面図である。
【図７】実施形態１による硬貨処理装置の構成を例示する概略図である。
【図８】実施形態１による硬貨処理装置の構成を例示するブロック図である。
【図９】表示部に表示される種別選択画面の画像の一例を示す図である。
【図１０】実施形態１の変形例２による硬貨処理装置の構成を例示する左側面図である。
【図１１】実施形態２による硬貨処理装置の内部構成を例示する左側面図である。
【図１２】実施形態２による硬貨処理装置の内部構成の一部を例示する正面図である。
【図１３】実施形態２による硬貨処理装置の構成を例示する概略図である。
【図１４】実施形態２の変形例による硬貨処理装置の内部構成をの一部を例示する正面図である。
【図１５】実施形態２の変形例による硬貨処理装置の構成を例示する概略図である。
【図１６】実施形態３による硬貨処理装置の内部構成を例示する左側面図である。
【図１７】実施形態３による硬貨処理装置の構成を例示する概略図である。
【図１８】入金リジェクト部の変形例を例示する概略図である。
【発明を実施するための形態】
【００２４】
以下、実施の形態を図面を参照して詳しく説明する。なお、図中同一または相当部分には同一の符号を付しその説明は繰り返さない。
【００２５】
（実施形態１）
図１は、実施形態１による硬貨処理装置１の外観を例示し、図２〜図８は、実施形態１による硬貨処理装置１の構成を例示している。この例では、硬貨処理装置１は、硬貨および包装硬貨を処理するように構成されている。具体的には、硬貨処理装置１は、硬貨の入出金処理や包装硬貨の生成や包装硬貨の出金処理などを行う。包装硬貨は、所定枚数（例えば５０枚）の硬貨によって構成され、これらの所定枚数の硬貨は、包装紙で包装されている。硬貨処理装置１は、例えば、出納機の一部を構成するものであり、銀行などに設置される。なお、以下の説明における「前」「後」「左」「右」は、硬貨処理装置１を正面から見た場合の方向を意味している。
【００２６】
〔筐体〕
硬貨処理装置１は、筐体１０を備えている。筐体１０は、直方体型の箱状に形成されている。硬貨処理装置１は、投入部１１と、識別部１２と、搬送部１３と、硬貨一時保留部１４と、入金リジェクト部１５と、金種別硬貨収納部１６と、一括箱１７と、返却箱１８と、出金搬送部２１と、出金識別部２２と、出金箱２３と、回収部２４と、包装部３０と、包装硬貨収納部３１と、包装硬貨出金部３２と、包装硬貨一括箱３３と、包装硬貨投出部３４と、包装硬貨搬送部３５とを備えている。これらの構成部材は、筐体１０に収納されている。なお、一括箱１７の内部には、判別硬貨収納部１００が設けられている。
【００２７】
この例では、投入部１１と識別部１２と搬送部１３が筐体１０の上部に配置され、投入部１１と識別部１２と搬送部１３の下方に硬貨一時保留部１４と入金リジェクト部１５が配置され、硬貨一時保留部１４と入金リジェクト部１５の下方に金種別硬貨収納部１６と一括箱１７と返却箱１８が配置されている。投入部１１は、筐体１０の左前上部に配置され、識別部１２と搬送部１３は、投入部１１の右方に配置されている。金種別硬貨収納部１６は、筐体１０の左寄りに配置され、一括箱１７は、金種別硬貨収納部１６の前方に配置され、返却箱１８は、金種別硬貨収納部１６と一括箱１７の右方に配置されている。
【００２８】
また、この例では、金種別硬貨収納部１６の下方に出金搬送部２１と出金識別部２２が配置され、出金搬送部２１の下方に出金箱２３と包装部３０が配置され、出金箱２３と包装部３０の下方に回収部２４が配置されている。
【００２９】
〔投入部〕
投入部１１は、複数枚の硬貨が投入されるように構成されている。そして、投入部１１は、投入された複数枚の硬貨を１枚ずつ繰り出すように構成されている。この例では、投入部１１は、供給円盤と回転円盤とを有している。供給円盤は、投入部１１に投入された硬貨を受け入れて回転円盤に硬貨を適量ずつ供給する。回転円盤は、搬送部１３に硬貨を１枚ずつ繰り出す。
【００３０】
〔識別部〕
識別部１２は、投入部１１から繰り出された硬貨に対して識別処理（硬貨の金種や真偽や正損などの識別）を行うように構成されている。例えば、識別部１２は、磁気センサや画像センサなどの各種センサと、ＣＰＵなどの演算処理部と、演算処理部を動作させるためのプログラムや情報を記憶するメモリなどの記憶部とによって構成されている。
【００３１】
この例では、識別部１２は、搬送部１３の硬貨通路に設けられている。すなわち、識別部１２は、搬送部１３により搬送される硬貨を識別するように構成されている。また、識別部１２には、撮像部１２０が搭載されている。撮像部１２０は、搬送部１３により搬送される硬貨を撮像して硬貨の画像を取得するように構成されている。識別部１２は、撮像部１２０により取得された硬貨の画像に基づいて識別処理を行う。
【００３２】
〔搬送部〕
搬送部１３は、投入部１１から繰り出された硬貨を硬貨一時保留部１４または入金リジェクト部１５に搬送（放出）するように構成されている。この例では、搬送部１３は、硬貨を搬送するための硬貨通路と、硬貨通路において硬貨を搬送する搬送ベルトと、それぞれが硬貨通路に設けられて該当する硬貨を落とし込ませて硬貨通路から分岐させる複数（この例では８つ）の分岐孔とによって構成されている。
【００３３】
この例では、搬送部１３の下方（具体的には複数の分岐孔のうち最も前方に位置する分岐孔の下方）には、返却シュートＣ１が設けられている。返却シュートＣ１は、搬送部１３から搬送（放出、分岐）された硬貨を入金リジェクト部１５に導くように構成されている。
【００３４】
〔硬貨一時保留部〕
硬貨一時保留部１４は、搬送部１３から搬送（放出）された硬貨を一時的に保留（収納）するように構成されている。この例では、硬貨一時保留部１４は、金種別一時保留部１４１と任意一時保留部１４２とを有している。
【００３５】
〈金種別一時保留部〉
金種別一時保留部１４１は、搬送部１３から金種別に搬送（放出）された硬貨を金種別に一時的に保留するように構成されている。また、金種別一時保留部１４１は、その内部に一時的に保留している硬貨を金種別硬貨収納部１６と返却箱１８とに選択的に放出するように構成されている。
【００３６】
この例では、金種別一時保留部１４１は、それぞれが筒状に形成された複数（この例では６つ）の保留筒を有している。金種別一時保留部１４１（具体的には複数の保留筒）の下端部は、開閉可能となっている。そして、金種別一時保留部１４１は、搬送部１３の下方（具体的には複数の分岐孔のうち後方に位置する６つの分岐孔の下方）に位置する第１位置と、金種別硬貨収納部１６の上方に位置する第２位置と、返却箱１８の上方に位置する第３位置とに移動するように構成されている。なお、この例では、金種別硬貨収納部１６の第１位置と第３位置とが同一の位置となっている。
【００３７】
金種別一時保留部１４１の下端部を閉状態にして金種別一時保留部１４１を第１位置に配置することにより、搬送部１３から放出された硬貨を金種別一時保留部１４１に金種別に保留（収納）することができる。また、金種別一時保留部１４１を第２位置（または第３位置）に配置して金種別一時保留部１４１の下端部を開状態にすることにより、金種別一時保留部１４１に一時的に保留されている硬貨を金種別硬貨収納部１６（または返却箱１８）に放出することができる。
【００３８】
〈任意一時保留部〉
任意一時保留部１４２は、搬送部１３から搬送（放出）された硬貨を一時的に保留するように構成されている。また、任意一時保留部１４２の下方には、任意硬貨シュートＣ２が設けられている。そして、任意一時保留部１４２は、その内部に一時的に保留している硬貨を一括箱１７と返却箱１８と任意硬貨シュートＣ２とに選択的に放出するように構成されている。
【００３９】
この例では、任意一時保留部１４２は、筒状に形成された保留筒を有している。任意一時保留部１４２（具体的には保留筒）の下端部は、開閉可能となっている。そして、任意一時保留部１４２は、搬送部１３の下方（具体的には複数の分岐孔のうち前方から２番目の分岐孔の下方）に位置する第１位置と、一括箱１７の上方に位置する第２位置と、返却箱１８の上方に位置する第３位置と、任意硬貨シュートＣ２の上方に位置する第４位置とに移動するように構成されている。なお、この例では、任意一時保留部１４２の第１位置と第４位置とが同一の位置となっている。
【００４０】
任意一時保留部１４２の下端部を閉状態にして任意一時保留部１４２を第１位置に配置することにより、搬送部１３から放出された硬貨を任意一時保留部１４２に一時的に保留することができる。また、任意一時保留部１４２を第２位置（または第３位置，第４位置）に配置して任意一時保留部１４２の下端部を開状態にすることにより、任意一時保留部１４２に一時的に保留されている硬貨を一括箱１７（または返却箱１８，任意硬貨シュートＣ２）に放出することができる。
【００４１】
任意硬貨シュートＣ２に放出された硬貨は、任意硬貨シュートＣ２の下方に設けられた袋取りシュートＣ３を通じて筐体１０の前面に設けられた袋装着部に装着された袋１９に導かれるか、または、任意硬貨シュートＣ２の下方に設けられたダイレクト包装用シュートＣ４を通じて包装部３０に導かれる。
【００４２】
〔入金リジェクト部〕
入金リジェクト部１５は、搬送部１３から放出されて返却シュートＣ１を通じて導かれた硬貨を集積するように構成されている。また、入金リジェクト部１５の下方には、判別硬貨シュートＣ１５が設けられている。そして、入金リジェクト部１５は、その内部に集積されている硬貨を判別硬貨シュートＣ１５を通じて判別硬貨収納部１００に放出するように構成されている。この例では、入金リジェクト部１５の下端部は、開閉可能となっている。具体的には、入金リジェクト部１５は、直方体型の箱状に形成され、その底面部１５ａが開閉可能に構成されている。すなわち、この例では、入金リジェクト部１５と判別硬貨シュートＣ１５とが中間集積部２００を構成している。中間集積部２００は、撮像部１２０により撮像された硬貨を集積してその硬貨を判別硬貨収納部１００に放出するように構成されている。
【００４３】
また、この例では、入金リジェクト部１５（中間集積部２００）は、その内部に集積されている硬貨を装置外へ取り出し可能に構成されている。また、入金リジェクト部１５は、ロック状態（硬貨を取り出すことができない状態）にすることができるように構成されている。具体的には、入金リジェクト部１５の前面部に取出口（入金リジェクト部１５から硬貨を取り出すための取出口）が設けられており、その取出口にロック機構付きのカバーが設けられている。
【００４４】
〔金種別硬貨収納部〕
金種別硬貨収納部１６は、硬貨一時保留部１４から放出された硬貨を金種別に収納するように構成されている。また、金種別硬貨収納部１６は、その内部に収納している硬貨を出金搬送部２１に金種別に１枚ずつ繰り出すように構成されている。この例では、金種別硬貨収納部１６は、複数（この例では６つ）の金種別収納庫を有している。複数の金種別収納庫は、第２位置（すなわち金種別硬貨収納部１６の上方）に配置された金種別一時保留部１４１の複数の保留筒から放出された硬貨をそれぞれ収納する。
【００４５】
〔一括箱〕
一括箱１７は、硬貨一時保留部１４（この例では任意一時保留部１４２）から放出された硬貨を収納するように構成されている。この例では、上面が開口する直方体型の箱状に形成され、第２位置（すなわち一括箱１７の上方）に配置された任意一時保留部１４２から放出された硬貨を収納する。また、この例では、一括箱１７は、硬貨処理装置１の筐体１０に対して着脱可能に構成され、筐体１０の前面から引き出し可能となっている。
【００４６】
〔判別硬貨収納部〕
また、上述のとおり、この例では、一括箱１７には、判別硬貨収納部１００が設けられている。判別硬貨収納部１００は、後述する判別処理において制御部４０により画像と情報とが紐付けられた硬貨（判別硬貨）を収納するように構成されている。この例では、判別硬貨収納部１００は、上面が開口する直方体型の箱状に形成され、判別硬貨シュートＣ１５の出口の下方に配置されて判別硬貨シュートＣ１５から放出された硬貨を収納する。
【００４７】
〔返却箱〕
返却箱１８は、返却すべき硬貨を収納するように構成されている。この例では、返却箱１８は、上面が開口する直方体型の箱状に形成され、第３位置（すなわち返却箱１８の上方）に配置された金種別一時保留部１４１から放出された硬貨と第３位置（すなわち返却箱１８の上方）に配置された任意一時保留部１４２から放出された硬貨とを収納する。また、この例では、返却箱１８は、硬貨処理装置１の筐体１０に対して着脱可能に構成され、筐体１０の前面から引き出し可能となっている。
【００４８】
〔出金搬送部〕
出金搬送部２１は、金種別硬貨収納部１６から繰り出された硬貨を出金箱２３と包装部３０とに選択的に搬送するように構成されている。この例では、出金搬送部２１は、筐体１０の奥行き方向（前後方向）に硬貨を搬送するコンベヤと、コンベヤ上の硬貨を包装部３０に払い出す払出機構とによって構成されている。出金搬送部２１（具体的にはコンベヤ）の前端部に搬送された硬貨は、出金搬送部２１の前端部の下方に設けられた出金シュートＣ５を通じて出金箱２３に導かれる。また、払出機構は、出金搬送部２１（具体的にはコンベヤ）の前後方向の中央部に設けられている。そして、払出機構により払い出された硬貨は、出金搬送部２１の前後方向の中央部の下方に設けられた包装用シュートＣ６を通じて包装部３０に導かれる。
【００４９】
〔出金識別部〕
出金識別部２２は、出金搬送部２１から出金箱２３へ向けて搬送される硬貨に対して識別処理と計数処理とを行うように構成されている。識別処理では、出金識別部２２は、硬貨の金種，真偽，正損などを識別する。計数処理では、出金識別部２２は、硬貨の枚数を種別毎に計数する。例えば、出金識別部２２は、磁気センサや画像センサなどの各種センサと、ＣＰＵなどの演算処理部と、演算処理部を動作させるためのプログラムや情報を記憶するメモリなどの記憶部とによって構成されている。
【００５０】
〔出金箱〕
出金箱２３は、金種別硬貨収納部１６から繰り出されて出金搬送部２１によって搬送されてきた硬貨（払い出すべき硬貨）を収納するように構成されている。また、出金箱２３は、その内部に収納している硬貨を回収部２４に放出するように構成されている。この例では、出金箱２３は、上面が開口する直方体型の箱状に形成され、その底面部が開閉可能に構成されている。そして、出金箱２３の底面部の開放によって出金箱２３から放出された硬貨は、出金箱２３の下方に設けられた回収シュートＣ７を通じて回収部２４に導かれる。また、出金箱２３は、硬貨処理装置１の筐体１０に対して着脱可能に構成され、筐体１０の前面から引き出し可能となっている。
【００５１】
〔回収部〕
回収部２４は、回収すべき貨幣を収納するように構成されている。この例では、回収部２４は、上面が開口する直方体型の箱状に形成され、出金箱２３から放出されて回収シュートＣ７を通じて導かれた硬貨と、後述の排出シュートＣ８を通じて導かれた硬貨とを収納する。また、回収部２４は、硬貨処理装置１の筐体１０に対して着脱可能に構成され、筐体１０の前面から引き出し可能となっている。
【００５２】
〔包装部〕
包装部３０は、包装硬貨（包装紙で包装された所定枚数の硬貨）を生成するように構成されている。この例では、包装部３０は、金種別硬貨収納部１６から繰り出されて出金搬送部２１によって搬送されて包装用シュートＣ６を通じて導かれた硬貨（またはダイレクト包装用シュートＣ４を通じて導かれた硬貨）を用いて包装硬貨を生成し、その生成された包装硬貨を包装硬貨搬送部３５に放出するように構成されている。なお、包装部３０において包装硬貨の生成に用いられなかった硬貨は、包装部３０の下方に設けられた排出シュートＣ８を通じて回収部２４に導かれる。
【００５３】
〔包装硬貨収納部〕
包装硬貨収納部３１は、包装硬貨を金種別に収納するように構成されている。また、包装硬貨収納部３１は、包装硬貨搬送部３５との間において包装硬貨の受け渡しを行うように構成されている。
【００５４】
〔包装硬貨出金部〕
包装硬貨出金部３２は、包装硬貨搬送部３５によって搬送された包装硬貨（払い出すべき包装硬貨）を集積するように構成されている。
【００５５】
〔包装硬貨一括収納部〕
包装硬貨一括箱３３は、包装硬貨搬送部３５によって搬送された包装硬貨を集積するように構成されている。
【００５６】
〔包装硬貨投出部〕
包装硬貨投出部３４は、包装硬貨搬送部３５によって搬送された包装硬貨を硬貨処理装置１の外部へ投出するように構成されている。包装硬貨投出部３４から払い出された包装硬貨は、硬貨処理装置１の前方に配置された回収容器（図示を省略）に集積される。
【００５７】
〔包装硬貨搬送部〕
包装硬貨搬送部３５は、包装部３０と包装硬貨収納部３１と包装硬貨一括箱３３と包装硬貨出金部３２と包装硬貨投出部３４とに接続されて包装硬貨を搬送するように構成されている。
【００５８】
〔各種センサ〕
また、硬貨処理装置１の各部には、硬貨の通過を検知する通過センサなどの各種センサ（図示を省略）が設けられている。例えば、入金リジェクト部１５には、入金リジェクト部１５のロック状態の設定/解除（具体的にはカバーの開閉）を検知するロック検知センサや、入金リジェクト部１５に硬貨が残留していることを検知する残留センサが設けられている。
【００５９】
また、図８に示すように、硬貨処理装置１は、操作表示部４１と、印字部４２と、記憶部４３と、通信部４４と、制御部４０とを備えている。
【００６０】
〔操作表示部〕
操作表示部４１は、操作部４１１と表示部４１２とを有している。例えば、操作表示部４１は、タッチパネルによって構成されている。
【００６１】
操作部４１１は、操作者による操作が与えられ、その操作者による操作に応じて情報を入力するように構成されている。これにより、操作者は、操作部４１１を操作して硬貨処理装置１に各種処理を行わせることができる。すなわち、硬貨処理装置１は、操作者による操作に応答して動作するように構成されている。この例では、操作部４１１は、硬貨に関する情報が入力される情報入力部を構成している。表示部４１２は、情報を表示するように構成されている。
【００６２】
〔印字部と記憶部と通信部〕
印字部４２は、情報を印字媒体（例えばレシート）に印字するように構成されている。記憶部４３は、情報を記憶するように構成されている。記憶部４３には、硬貨処理装置１における硬貨の処理状況に関する情報や、硬貨処理装置１における硬貨の在高に関する情報や、操作表示部４１に表示される操作画面などの画像情報（画像データ）や、硬貨処理装置１の動作を制御するための制御情報などが記憶されている。例えば、記憶部４３は、ハードディスクドライブやフラッシュメモリなどの汎用ストレージデバイスによって構成されている。通信部４４は、制御部４０が外部機器（例えばタブレット端末やスマートフォンや管理コンピュータなど）との間で有線通信または無線通信を行うために設けられている。
【００６３】
この例では、記憶部４３には、種別選択画面の画像データが記憶されている。図９に示すように、種別選択画面には、複数の硬貨の種別（図９の例では「記念貨」と「損貨」）と、複数の金額（図９の例では１円から１０００００円までの１１個の金額）とが含まれている。また、種別選択画面には、撮像部１２０により取得された硬貨の画像を表示するための領域（硬貨画像表示領域）が設けられている。
【００６４】
また、この例では、記憶部４３には、入金リジェクト部１５から取り出された硬貨を投入部１１に投入することを指示するための投入指示画面の画像（画像データ）と、撮像部１２０により取得された硬貨の画像（画像データ）とが記憶されている。そして、表示部４１２は、記憶部４３に記憶された硬貨の画像（すなわち撮像部１２０により取得された硬貨の画像）を表示する。
【００６５】
〔制御部〕
制御部４０は、硬貨処理装置１の各部（例えば投入部１１や識別部１２や搬送部１３や硬貨一時保留部１４や入金リジェクト部１５や金種別硬貨収納部１６や一括箱１７や返却箱１８や操作部４１１や表示部４１２や印字部４２や記憶部４３など）と信号を伝送可能に接続されている。また、制御部４０は、通信部４４を経由して外部機器と通信可能に構成されている。そして、制御部４０は、操作部４１１に与えられた操作や硬貨処理装置の各部（各部に設けられた各種センサを含む）および外部機器から受信した信号や情報やデータに基づいて、硬貨処理装置１の各部を制御して硬貨処理装置１の動作を制御するように構成されている。例えば、制御部４０は、ＣＰＵなどの演算処理部や、演算処理部を動作させるためのプログラムや情報を記憶するメモリなどの記憶部などによって構成されている。
【００６６】
この例では、硬貨処理装置１において、複数枚の硬貨を入金する入金処理と、撮像部１２０により取得された硬貨の画像が表示部４１２に表示されて硬貨に関する情報が操作部４１１（情報入力部）に入力される判別処理とが行われる。また、この例では、判別処理は、入金処理の後に行われる。
【００６７】
制御部４０は、入金処理において、投入部１１に投入されて投入部１１から繰り出された硬貨が識別部１２において識別されて識別部１２による識別結果に応じて金種別硬貨収納部１６に搬送されるように硬貨処理装置１の動作を制御する。また、制御部４０は、判別処理において、撮像部１２０により取得された硬貨の画像と操作部４１１（情報入力部）に入力された硬貨に関する情報とを紐付ける。そして、制御部４０は、判別処理において、入金リジェクト部１５（中間集積部２００）に集積されている硬貨について撮像部１２０により撮像された硬貨の画像と操作部４１１（情報入力部）により入力された硬貨に関する情報との紐付けが完了すると、入金リジェクト部１５（中間集積部２００）に集積されている硬貨が判別硬貨収納部１００に放出されるように硬貨処理装置１の動作を制御する。
【００６８】
この例では、制御部４０は、入金処理において、投入部１１に投入されて投入部１１から繰り出された硬貨が識別部１２において識別されて識別部１２による識別結果に応じて金種別硬貨収納部１６または入金リジェクト部１５（中間集積部２００）に搬送されるように硬貨処理装置１の動作を制御する。
【００６９】
そして、この例では、制御部４０は、入金処理の後に行われる判別処理において、入金リジェクト部１５（中間集積部２００）から取り出された硬貨を投入部１１に投入することを指示するための情報を出力する。入金リジェクト部１５（中間集積部２００）から取り出された硬貨が投入部１１に投入されると、制御部４０は、投入部１１に投入されて投入部１１から繰り出された硬貨が撮像部１２０において撮像されて入金リジェクト部１５（中間集積部２００）に搬送されるように硬貨処理装置１の動作を制御する。
【００７０】
〔入金処理〕
まず、入金処理について説明する。制御部４０は、入金処理などの各種処理を示す操作画面の画像を表示部４１２に表示させる。そして、操作画面に示された入金処理を選択するための操作が操作部４１１に与えられると、制御部４０は、硬貨処理装置１において入金処理が行われるように硬貨処理装置１の動作を制御する。
【００７１】
入金処理では、複数枚の硬貨が投入部１１に投入されると、投入部１１は、複数枚の硬貨を１枚ずつ搬送部１３に繰り出す。投入部１１から繰り出された硬貨は、識別部１２に搬送されて識別部１２において識別される。識別部１２による硬貨の識別結果は、制御部４０に送信される。
【００７２】
制御部４０は、識別部１２による硬貨の識別結果に基づいて、識別部１２において識別された硬貨が入金可能硬貨（金種別硬貨収納部１６に収納することが可能な硬貨）であるのか入金不能硬貨（金種別硬貨収納部１６に収納することができない硬貨）であるのかを判定する。
【００７３】
識別部１２において識別された硬貨が入金可能硬貨である場合、制御部４０は、識別部１２において識別された硬貨が金種別一時保留部１４１に放出されるように硬貨処理装置１の動作を制御する。金種別一時保留部１４１に放出された硬貨は、金種別一時保留部１４１に金種別に保留（収納）される。
【００７４】
一方、識別部１２において識別された硬貨が入金不能硬貨である場合、制御部４０は、識別部１２において識別された硬貨が返却シュートＣに放出されて入金リジェクト部１５（中間集積部２００）に導かれるように硬貨処理装置１の動作を制御する。返却シュートＣ１を経由して入金リジェクト部１５に導かれた硬貨は、入金リジェクト部１５に集積される。
【００７５】
このようにして、投入部１１に投入された複数枚の硬貨が１枚ずつ処理されて金種別硬貨収納部１６または入金リジェクト部１５に搬送（放出）される。
【００７６】
そして、投入部１１に投入された複数枚の硬貨の搬送が完了すると、制御部４０は、入金処理の結果（例えば金種別一時保留部１４１に保留された硬貨の金種別の枚数や入金リジェクト部１５に集積された硬貨の有無など）を示す画像と、硬貨処理装置１への硬貨の入金を承認してもよいかどうかを確認するための画像とを表示部４１２に表示させる。
【００７７】
硬貨処理装置１に対する硬貨の入金を承認するための操作（承認操作）が操作部４１１に与えられると、制御部４０は、金種別一時保留部１４１に保留されている硬貨が金種別硬貨収納部１６に放出されるように硬貨処理装置１の動作を制御する。金種別硬貨収納部１６に放出された硬貨は、金種別硬貨収納部１６に金種別に収納される。
【００７８】
一方、硬貨処理装置１に対する硬貨の入金を否認するための操作（否認操作）が操作部４１１に与えられると、制御部４０は、金種別一時保留部１４１に保留されている硬貨が返却箱１８に放出されるように硬貨処理装置１の動作を制御する。返却箱１８に放出された硬貨は、返却箱１８に収納される。
【００７９】
〔判別処理〕
次に、判別処理について説明する。制御部４０は、判別処理などの各種処理を示す操作画面の画像を表示部４１２に表示させる。そして、操作画面に示された判別処理を選択するための操作が操作部４１１に与えられると、制御部４０は、硬貨処理装置１において判別処理が行われるように硬貨処理装置１の動作を制御する。
【００８０】
判別処理では、制御部４０は、入金リジェクト部１５（中間集積部２００）に硬貨が残留していないことを条件として入金リジェクト部１５をロック状態（硬貨を取り出すことができない状態）に設定する。そして、制御部４０は、入金リジェクト部１５から取り出された硬貨を投入部１１に投入することを指示するための情報（投入指示情報）を出力する。この例では、制御部４０は、記憶部４３に記憶されている投入指示画面の画像（画像データ）を表示部４１２に出力し、表示部４１２は、投入指示画面（入金リジェクト部１５から取り出された硬貨を投入部１１に投入することを指示するための画面）の画像を表示する。
【００８１】
操作者は、入金リジェクト部１５（中間集積部２００）に集積されている全ての硬貨（すなわち入金不能硬貨）を入金リジェクト部１５から取り出し、入金リジェクト部１５から取り出された硬貨の中に異常硬貨（例えば偽造硬貨やおもちゃの硬貨など）があるかどうかを目視で確認する。そして、操作者は、入金リジェクト部１５から取り出された硬貨の中から異常硬貨を除外して残りの硬貨（例えば損貨や記念貨など）を投入部１１に投入する。
【００８２】
入金リジェクト部１５から取り出された硬貨が投入部１１に投入されると、投入部１１は、投入された硬貨を１枚ずつ搬送部１３に繰り出す。投入部１１から繰り出された硬貨は、撮像部１２０（この例では識別部１２に搭載された撮像部１２０）において撮像されて入金リジェクト部１５（中間集積部２００）に搬送される。撮像部１２０により得られた硬貨の画像は、制御部４０に送信される。制御部４０は、撮像部１２０により取得された硬貨の画像を記憶部４３に記憶する。このようにして、投入部１１に投入された複数枚の硬貨が１枚ずつ処理されて撮像部１２０により得られた硬貨の画像が制御部４０に送信される。
【００８３】
また、制御部４０は、撮像部１２０により取得された硬貨の画像を表示部４１２に１枚ずつ表示させる。操作者は、表示部４１２に表示された硬貨の画像に基づいて、操作部４１１を操作して硬貨（表示部４１２に表示された硬貨）に関する情報を操作部４１１に入力する。操作者による操作により硬貨に関する情報が操作部４１１に入力されると、制御部４０は、表示部４１２に表示された硬貨の画像（すなわち撮像部１２０により得られた硬貨の画像）と操作部４１１に入力された硬貨に関する情報とを紐付けて記憶部４３に記憶する。
【００８４】
この例では、制御部４０は、撮像部１２０により取得された１つの硬貨の画像（画像データ）と記憶部４３に記憶された種別選択画面の画像（画像データ）を表示部４１２に出力し、表示部４１２は、その１枚の硬貨の画像を含む種別選択画面（図９参照）の画像を表示する。操作者は、操作部４１１を操作して表示部４１２に表示された種別選択画面に示された複数の硬貨の種別（図９の例では「記念貨」と「損貨」）と複数の金額（図９の例では１１個の金額）の中から１つの種別と１つの金額を選択する。これにより、操作部４１１は、硬貨の種別および金額に関する情報を入力する。そして、制御部４０は、表示部４１２に表示された硬貨の画像と操作部４１１に入力された硬貨の種別および金額に関する情報とを紐付けて記憶部４３に記憶する。このようにして、撮像部１２０により得られた複数枚の硬貨の画像が１枚ずつ処理され、その硬貨の画像とその硬貨に関する情報とが紐付けられて記憶部４３に記憶される。
【００８５】
そして、投入部１１に投入された複数枚の硬貨について紐付け処理（硬貨の画像と情報とを紐付ける処理）が完了すると、制御部４０は、判別処理の終了を承認してもよいかどうかを確認するための画像を表示部４１２に表示させる。
【００８６】
判別処理の終了を承認するための操作（承認操作）が操作部４１１に与えられると、制御部４０は、入金リジェクト部１５（中間集積部２００）に集積されている硬貨（判定硬貨）が判別硬貨収納部１００に放出されるように硬貨処理装置１の動作を制御する。判別硬貨収納部１００に放出された硬貨は、判別硬貨収納部１００に収納される。
【００８７】
一方、判別処理の終了を否認するための操作（否認操作）が操作部４１１に与えられると、制御部４０は、入金リジェクト部１５のロック状態を解除し、入金リジェクト部１５に集積された硬貨を取り出すことを指示するための情報を出力する。この例では、制御部４０は、入金リジェクト部１５に集積された硬貨を取り出すことを指示するための画像を表示部４１２に表示させる。そして、操作者は、入金リジェクト部１５に集積された硬貨を取り出す。
【００８８】
〔実施形態１による効果〕
以上のように、複数枚の硬貨を投入部１１に投入することができるので、複数枚の硬貨を硬貨処理装置１に投入して硬貨処理装置１に判別処理を行わせることができる。これにより、操作者が複数枚の硬貨を１枚ずつ硬貨処理装置の入金口（入金位置）に載置する場合よりも、操作者の負担（複数枚の硬貨を処理する際の操作者の負担）を軽減することができる。
【００８９】
また、入金処理において使用される投入部１１や搬送部１３を用いて入金不能硬貨の判別処理を行うことができる（すなわち投入部１１や搬送部１３を入金処理と判別処理とで兼用することができる）ので、判別処理専用の装置を用いて判別処理を行う場合（すなわち入金処理のための構成とは別に判別処理のための構成を設ける場合）よりも、装置の構成を簡潔にすることができる。
【００９０】
また、硬貨を金種別に収納する金種別硬貨収納部１６とは別に、制御部４０により画像と情報とが紐付けられた硬貨（判別硬貨）を収納する判別硬貨収納部１００を設けることにより、判別硬貨を金種別硬貨収納部１６とは異なる収納部（判別硬貨収納部１００）に収納することができる。これにより、判別硬貨の管理を厳格に行うことができる。
【００９１】
また、入金リジェクト部１５（中間集積部２００）を設けることにより、撮像部１２０により撮像された硬貨を入金リジェクト部１５（中間集積部２００）に一時的に保留することができる。これにより、撮像部１２０により撮像された硬貨の画像と操作部４１１（情報入力部）により入力された硬貨に関する画像とを紐付ける処理（紐付け処理）を連続して行うことができるので、操作者の負担を軽減することができる。
【００９２】
また、入金処理の後に判別処理を行うことにより、入金処理において入金リジェクト部１５（中間集積部２００）に搬送された硬貨（すなわち金種別硬貨収納部１６に搬送されなかった入金不能硬貨）に対して判別処理を行うことができる。また、判別処理において入金リジェクト部１５（中間集積部２００）から取り出された硬貨を投入部１１に投入することを指示するための情報を出力することにより、操作者が中間集積部２００から硬貨を取り出して投入部１１に投入するときに入金リジェクト部１５（中間集積部２００）から取り出された硬貨を操作者に目視で確認させることができる。これにより、硬貨に関する情報を操作者に正確に入力させることができる。
【００９３】
また、撮像部１２０を識別部１２に搭載する（すなわち識別部１２の撮像部を撮像部１２０として利用する）ことにより、撮像部１２０が識別部１２に搭載されていない場合（撮像部１２０が識別部１２と別体に構成されていている場合）よりも、硬貨処理装置１の部品点数を削減することができる。
【００９４】
また、判別硬貨（画像と情報とが紐付けられた硬貨）を判別硬貨収納部に１００に収納することにより、手持ち管理の硬貨（すなわち硬貨処理装置１外で管理される硬貨）の枚数を削減することができる。これにより、不正や違算を防止することができる。また、銀行などの締め処理の時間を短縮することができる。
【００９５】
なお、入金リジェクト部１５の近傍に発光部（例えばＬＥＤなど、図示を省略）が設けられていてもよい。そして、制御部４０は、入金リジェクト部１５に集積された硬貨（すなわち金種別硬貨収納部１６に収納することができない硬貨）がある場合に、入金リジェクト部１５の近傍に設けられた発光部を点滅（または点灯）させるように構成されていてもよい。
【００９６】
また、記憶部４３には、制御部４０は、撮像部１２０により取得された硬貨の画像に基づいて硬貨に関する情報（種別や金額など）を推定し、その推定により得られた情報を操作部４１１に入力することを促すための情報を出力するように構成されていてもよい。例えば、制御部４０は、撮像部１２０により取得された硬貨の画像に基づいてその硬貨が１００円の記念貨である可能性が高いと推定すると、表示部４１２に表示される種別選択画面（図９参照）において「記念貨」という種別と「１００円」という金額が強調表示される（または「記念貨」という種別と「１００円」という金額が既に選択された状態で表示される）ように表示部４１２を制御してもよい。なお、このような推定は、種別毎および金額毎に予め準備された硬貨のサンプル画像と撮像部１２０により取得された硬貨の画像とを照合することで行うことが可能である。
【００９７】
（実施形態１の変形例１）
実施形態１の変形例１による硬貨処理装置１は、実施形態１による硬貨処理装置１と構成は同様であるが、制御部４０の動作が異なっている。
【００９８】
実施形態１の変形例１では、制御部４０は、入金処理（複数枚の硬貨を入金する処理）において、投入部１１に投入されて投入部１１から繰り出された硬貨が撮像部１２０において撮像され且つ識別部１２において識別されて識別部１２による識別結果に応じて金種別硬貨収納部１６または入金リジェクト部１５（中間集積部２００）に搬送されるように硬貨処理装置１の動作を制御する。
【００９９】
また、実施形態１の変形例１では、制御部４０は、入金処理の後に行われる判別処理において、入金リジェクト部１５（中間集積部２００）に集積されている硬貨について撮像部１２０により取得された硬貨の画像と操作部４１１（情報入力部）に入力された硬貨に関する情報との紐付けが完了すると、入金リジェクト部１５（中間集積部２００）に集積されている硬貨が判別硬貨収納部１００に放出されるように硬貨処理装置１の動作を制御する。
【０１００】
〔入金処理〕
次に、実施形態１の変形例１における入金処理について説明する。実施形態１と同様、制御部４０は、判別処理などの各種処理を示す操作画面の画像を表示部４１２に表示させる。そして、操作画面に示された判別処理を選択するための操作が操作部４１１に与えられると、制御部４０は、硬貨処理装置１において判別処理が行われるように硬貨処理装置１の動作を制御する。
【０１０１】
実施形態１の変形例１の入金処理では、実施形態１と同様に、複数枚の硬貨が投入部１１に投入されると、投入部１１は、複数枚の硬貨を１枚ずつ搬送部１３に繰り出す。投入部１１から繰り出された硬貨は、識別部１２に搬送され、撮像部１２０（この例では識別部１２に搭載された撮像部１２０）において撮像されるとともに識別部１２において識別される。識別部１２による硬貨の識別結果と撮像部１２０により得られた硬貨の画像は、制御部４０に送信される。制御部４０は、撮像部１２０により取得された硬貨の画像を記憶部４３に記憶する。
【０１０２】
そして、実施形態１と同様に、制御部４０は、識別部１２による硬貨の識別結果に基づいて、識別部１２において識別された硬貨が入金可能硬貨（金種別硬貨収納部１６に収納することが可能な硬貨）であるのか入金不能硬貨（金種別硬貨収納部１６に収納することができない硬貨）であるのかを判定する。
【０１０３】
識別部１２において識別された硬貨が入金可能硬貨である場合、識別部１２において識別された硬貨は、金種別一時保留部１４１に放出されて金種別一時保留部１４１に金種別に保留（収納）される。一方、識別部１２において識別された硬貨が入金不能硬貨である場合、識別部１２において識別された硬貨は、返却シュートＣ１を通じて入金リジェクト部１５に放出されて入金リジェクト部１５に集積される。
【０１０４】
このようにして、投入部１１に投入された複数枚の硬貨が１枚ずつ処理されて金種別硬貨収納部１６または入金リジェクト部１５に搬送される。また、投入部１１に投入された複数枚の硬貨が１枚ずつ処理されて撮像部１２０により得られた硬貨の画像が制御部４０に送信される。
【０１０５】
そして、実施形態１と同様に、投入部１１に投入された複数枚の硬貨の搬送が完了すると、制御部４０は、入金処理の結果（例えば金種別一時保留部１４１に保留された硬貨の金種別の枚数や入金リジェクト部１５に集積された硬貨の有無など）を示す画像と、硬貨処理装置１への硬貨の入金を承認してもよいかどうかを確認するための画像とを表示部４１２に表示させる。硬貨処理装置１に対する硬貨の入金を承認するための承認操作が操作部４１１に与えられると、金種別一時保留部１４１に保留されている硬貨が金種別硬貨収納部１６に放出されて金種別硬貨収納部１６に金種別に収納される。一方、硬貨処理装置１に対する硬貨の入金を否認するための否認操作が操作部４１１に与えられると、金種別一時保留部１４１に保留されている硬貨が返却箱１８に放出されて返却箱１８に収納される。
【０１０６】
〔判別処理〕
次に、実施形態１の変形例１における判別処理について説明する。実施形態１と同様、制御部４０は、判別処理などの各種処理を示す操作画面の画像を表示部４１２に表示させる。そして、操作画面に示された判別処理を選択するための操作が操作部４１１に与えられると、制御部４０は、硬貨処理装置１において判別処理が行われるように硬貨処理装置１の動作を制御する。なお、この実施形態１の変形例１では、入金処理において入金リジェクト部１５（中間集積部２００）に集積された硬貨が装置外へ取り出されることなく判別処理が行われる。
【０１０７】
実施形態１の変形例１における判別処理では、制御部４０は、入金処理において記憶部４３に記憶された硬貨の画像（すなわち入金処理において撮像部１２０により取得された硬貨の画像）を表示部４１２に１枚ずつ表示させる。操作者は、表示部４１２に表示された硬貨の画像に基づいて、操作部４１１を操作して硬貨（表示部４１２に表示された硬貨）に関する情報を操作部４１１に入力する。操作者による操作により硬貨に関する情報が操作部４１１に入力されると、制御部４０は、表示部４１２に表示された硬貨の画像と操作部４１１に入力された硬貨に関する情報とを紐付けて記憶部４３に記憶する。このようにして、撮像部１２０により得られた複数枚の硬貨の画像が１枚ずつ処理され、その硬貨の画像と硬貨に関する情報とが紐付けられて記憶部４３に記憶される。
【０１０８】
そして、入金リジェクト部１５（中間集積部２００）に集積された複数枚の硬貨について紐付け処理（硬貨の画像と情報とを紐付ける処理）が完了すると、制御部４０は、判別処理の終了を承認してもよいかどうかを確認するための画像を表示部４１２に表示させる。判別処理の終了を承認するための承認操作が操作部４１１に与えられると、入金リジェクト部１５に集積されている硬貨（判定硬貨）が判別硬貨収納部１００に放出されて判別硬貨収納部１００に収納される。一方、判別処理の終了を否認するための否認操作が操作部４１１に与えられると、入金リジェクト部１５のロック状態が解除され、入金リジェクト部１５に集積された硬貨を取り出すことを指示するための情報が出力される。例えば、入金リジェクト部１５に集積された硬貨を取り出すことを指示するための画像が表示部４１２に表示される。そして、操作者は、入金リジェクト部１５に集積された硬貨を取り出す。
【０１０９】
〔実施形態１の変形例１による効果〕
以上のように、入金処理の後に判別処理を行うことにより、入金処理において中間集積部２００に搬送された硬貨（すなわち金種別硬貨収納部１６に搬送されなかった入金不能硬貨）に対して判別処理を行うことができる。また、判別処理において入金リジェクト部１５（中間集積部２００）から硬貨を取り出すことなく紐付け処理（撮像部１２０により取得された硬貨の画像と操作部４１１（情報入力部）に入力された硬貨に関する情報とを紐付ける処理）を行うことができるので、操作者の負担を軽減することができる。
【０１１０】
なお、入金リジェクト部１５に対する物体（例えば操作者の手や硬貨など）の出し入れを検知する検知センサ（例えば光学センサ）が設けられていてもよい。そして、制御部４０は、上記の通過センサの検知結果を監視し、入金リジェクト部１５に対する物体の出し入れがないことを条件として判別処理の実行を許可するように構成されていてもよい。
【０１１１】
（実施形態１の変形例２）
図１０に示すように、入金リジェクト部１５（中間集積部２００）に撮像部５１が設けられていてもよい。実施形態１の変形例２では、入金リジェクト部１５には、硬貨を１枚ずつ投入するための投入口が設けられており、撮像部５１は、投入口に投入された硬貨を撮像して硬貨の画像を取得するように構成されている。この例では、入金リジェクト部１５には、投入口に投入された硬貨を入金リジェクト部１５に繰り入れる繰入機構５２（例えば搬送ベルト）が設けられており、撮像部５１は、繰入機構５２により繰り入れられる硬貨を撮像するように構成されている。
【０１１２】
実施形態１の変形例２では、例えば、操作者は、入金処理において投入部１１に投入された複数枚の硬貨のうち投入部１１から繰り出すことができなかった硬貨（例えば大きく曲がった変形貨）を投入部１１から取り出して入金リジェクト部１５の投入口に手動で投入する。入金リジェクト部１５の投入口に投入された硬貨は、繰入機構５２により繰り入れられて撮像部５１において撮像される。撮像部５１により得られた硬貨の画像は、制御部４０に送信される。
【０１１３】
制御部４０は、撮像部５１から送信された硬貨の画像に基づいて、撮像部５１において硬貨の画像が正常に取得されているか否かを判定する。撮像部５１において硬貨の画像が正常に取得されていない場合（例えば撮像部５１において取得された硬貨の画像が複数枚の硬貨が重なり合う画像である場合）、制御部４０は、撮像部５１により撮像された硬貨を入金リジェクト部１５から取り出して入金リジェクト部１５の投入口に再投入することを指示するための情報を出力する。例えば、制御部４０は、撮像部５１により撮像された硬貨を入金リジェクト部１５から取り出して入金リジェクト部１５の投入口に再投入することを指示するための画像を表示部４１２に表示させる。
【０１１４】
撮像部５１において硬貨の画像が正常に取得されている場合、制御部４０は、撮像部５１により取得された硬貨の画像を表示部４１２に表示させる。操作者は、表示部４１２に表示された硬貨の画像に基づいて、操作部４１１を操作して硬貨（表示部４１２に表示された硬貨）に関する情報を操作部４１１に入力する。操作者による操作により硬貨に関する情報が操作部４１１に入力されると、制御部４０は、表示部４１２に表示された硬貨の画像（すなわち撮像部５１により取得された硬貨の画像）と操作部４１１に入力された硬貨に関する情報とを紐付けて記憶部４３に記憶する。
【０１１５】
そして、入金リジェクト部１５に投入された硬貨について判別処理（硬貨の画像と情報とを紐付ける処理）が完了すると、制御部４０は、この判別処理の終了を承認してもよいかどうかを確認するための画像を表示部４１２に表示させる。
【０１１６】
判別処理の終了を承認するための操作（承認操作）が操作部４１１に与えられると、制御部４０は、入金リジェクト部１５に集積されている硬貨（判定硬貨）が判別硬貨収納部１００に放出されるように硬貨処理装置１の動作を制御する。一方、判別処理の終了を否認するための操作（否認操作）が操作部４１１に与えられると、制御部４０は、入金リジェクト部１５のロック状態を解除し、入金リジェクト部１５に集積されている硬貨を取り出すことを指示するための情報を出力する。そして、操作者は、入金リジェクト部１５に集積された硬貨を取り出す。
【０１１７】
〔実施形態１の変形例２による効果〕
以上のように、入金リジェクト部１５に撮像部５１を設けることにより、入金処理において投入部１１から繰り出すことができなかった硬貨（例えば大きく曲がった変形貨）について判別処理を行うことができる。
【０１１８】
（実施形態２）
図１１〜図１３は、実施形態２による硬貨処理装置１の構成を例示している。実施形態２による硬貨処理装置１は、中間集積部２００の構成が実施形態１による硬貨処理装置１と異なっている。実施形態２による硬貨処理装置１のその他の構成は、実施形態１による硬貨処理装置１の構成と同様となっている。
【０１１９】
実施形態２による硬貨処理装置１では、中間集積部２００は、中間集積部２００に集積されている硬貨を判別硬貨収納部１００と返却箱１８とに選択的に放出するように構成されている。
【０１２０】
図１１および図１２に示すように、実施形態２による硬貨処理装置１には、図４および図６に示した判別硬貨シュートＣ１５の代わりに中間一時保留部６０が設けられている。中間一時保留部６０は、入金リジェクト部１５から放出された硬貨を一時的に保留（収納）するように構成されている。また、中間一時保留部６０は、その内部に一時的に保留している硬貨を判別硬貨収納部１００と返却箱１８とに選択的に放出するように構成されている。すなわち、実施形態２では、入金リジェクト部１５と中間一時保留部６０とが中間集積部２００を構成している。
【０１２１】
この例では、中間一時保留部６０は、筒状に形成されている。中間一時保留部６０の下端部は、開閉可能となっている。具体的には、中間一時保留部６０は、その底面部６０ａが開閉可能となっている。そして、中間一時保留部６０は、入金リジェクト部１５の下方に位置する第１位置と、判別硬貨収納部１００の上方に位置する第２位置と、返却箱１８の上方に位置する第３位置とに移動するように構成されている。なお、この例では、中間一時保留部６０の第１位置と第３位置とが同一の位置となっている。
【０１２２】
中間一時保留部６０の下端部を閉状態にして中間一時保留部６０を第１位置に配置することにより、入金リジェクト部１５から放出された硬貨を中間一時保留部６０に一時的に保留することができる。また、中間一時保留部６０を第２位置（または第３位置）に配置して中間一時保留部６０の下端部を開状態にすることにより、中間一時保留部６０に一時的に保留されている硬貨を判別硬貨収納部１００（または返却箱１８）に放出することができる。
【０１２３】
〔実施形態２による効果〕
以上のように、中間集積部２００に集積されている硬貨を判別硬貨収納部１００と返却箱１８とに選択的に放出するように中間集積部２００を構成することにより、中間集積部２００に集積されている硬貨を返却することができる。
【０１２４】
（実施形態２の変形例）
図１４および図１５は、実施形態２の変形例による硬貨処理装置１の構成を例示している。実施形態２の変形例による硬貨処理装置１は、判別硬貨収納部１００と中間集積部２００の構成が実施形態２による硬貨処理装置１と異なっている。実施形態２の変形例による硬貨処理装置１のその他の構成は、実施形態２による硬貨処理装置１の構成と同様となっている。
【０１２５】
実施形態２の変形例による硬貨処理装置１では、判別硬貨収納部１００は、第１判別硬貨収納部１０１と、第２判別硬貨収納部１０２とを含んでいる。第１判別硬貨収納部１０１および第２判別硬貨収納部１０２は、それぞれ判別硬貨を収納するように構成されている。なお、第２判別硬貨収納部１０２は、第１判別硬貨収納部１０１とは異なる種別の判別硬貨を収納する。例えば、第１判別硬貨収納部１０１には、損貨に該当する判別硬貨が収納され、第２判別硬貨収納部１０２には、記念貨に該当する判別硬貨が収納される。
【０１２６】
また、実施形態２の変形例による硬貨処理装置１では、中間集積部２００は、中間集積部２００に集積されている硬貨を第１判別硬貨収納部１０１と第２判別硬貨収納部１０２（この例では第１判別硬貨収納部１０１と第２判別硬貨収納部１０２と返却箱１８）に選択的に放出するように構成されている。実施形態２の変形例では、実施形態２と同様に、入金リジェクト部１５と中間一時保留部６０とが中間集積部２００を構成している。
【０１２７】
なお、実施形態２の変形例では、中間一時保留部６０は、入金リジェクト部１５の下方に位置する第１位置と、第１判別硬貨収納部１０１の上方に位置する第２位置と、返却箱１８の上方に位置する第３位置と、第２判別硬貨収納部１０２の上方に位置する第４位置とに移動するように構成されている。
【０１２８】
中間一時保留部６０の下端部を閉状態にして中間一時保留部６０を第１位置に配置することにより、入金リジェクト部１５から放出された硬貨を中間一時保留部６０に一時的に保留することができる。また、中間一時保留部６０を第２位置（または第３位置，第４位置）に配置して中間一時保留部６０の下端部を開状態にすることにより、中間一時保留部６０に一時的に保留されている硬貨を第１判別硬貨収納部１０１（または返却箱１８，第２判別硬貨収納部１０２）に放出することができる。
【０１２９】
なお、実施形態２の変形例では、損貨を対象とする判別処理と記念貨を対象とする判別処理とが区別して行われる。例えば、損貨を対象とする判別処理が行われる場合には、損貨に該当すると予測される硬貨（または損貨に該当すると予測される硬貨を含む複数枚の硬貨）が投入部１１に投入され、記念貨を対象とする判別処理が行われる場合には、記念貨に該当すると予測される硬貨（または記念貨に該当すると予測される硬貨を含む複数枚の硬貨）が投入部１１に投入される。すなわち、損貨を対象とする判別処理では、損貨に該当する判別硬貨（損貨を示す情報と紐付けられた硬貨）が中間一時保留部６０に集積され、記念貨に該当する判別硬貨（記念貨を示す情報と紐付けられた硬貨）が中間一時保留部６０に集積されることになる。そして、制御部４０は、中間一時保留部６０内に損貨に該当する判別硬貨と記念貨に該当する判別硬貨とが混在している場合や判別処理を取り止める場合などに、中間一時保留部６０に集積されている硬貨が返却箱１８に放出されるように硬貨処理装置１の動作を制御する。
【０１３０】
〔実施形態２の変形例による効果〕
以上のように、中間集積部２００に集積されている硬貨を第１判別硬貨収納部１０１と第２判別硬貨収納部１０２とに選択的に放出するように中間集積部２００を構成することにより、中間集積部２００に集積されている硬貨（判別硬貨）を第１判別硬貨収納部１０１と第２判別硬貨収納部１０２とに振り分けることができる。これにより、判別硬貨を種別毎に管理することができる。
【０１３１】
（実施形態３）
図１６および図１７は、実施形態３による硬貨処理装置１の構成を例示している。実施形態３による硬貨処理装置１は、中間集積部２００の構成が実施形態１による硬貨処理装置１と異なっている。実施形態３による硬貨処理装置１のその他の構成は、実施形態１による硬貨処理装置１の構成と同様となっている。
【０１３２】
実施形態３による硬貨処理装置１では、入金リジェクト部１５の下端部は、開閉可能に構成されておらず常に閉塞されている。また、実施形態３による硬貨処理装置１には、図４および図６に示した判別硬貨シュートＣ１５が設けられていない。
【０１３３】
また、実施形態３による硬貨処理装置１では、任意一時保留部１４２は、搬送部１３から放出された硬貨を一時的に収納するように構成されている。また、任意一時保留部１４２は、その内部に一時的に保留している硬貨を一括箱１７と返却箱１８と任意硬貨シュートＣ２と判別硬貨収納部１００とに選択的に放出するように構成されている。すなわち、実施形態３では、任意一時保留部１４２が中間集積部２００を構成している。
【０１３４】
この例では、任意一時保留部１４２は、搬送部１３の下方（具体的には複数の分岐孔のうち前方から２番目の分岐孔の下方）に位置する第１位置と、一括箱１７の上方に位置する第２位置と、返却箱１８の上方に位置する第３位置と、任意硬貨シュートＣ２の上方に位置する第４位置と、判別硬貨収納部１００の上方に位置する第５位置とに移動するように構成されている。
【０１３５】
任意一時保留部１４２の下端部を閉状態にして任意一時保留部１４２を第１位置に配置することにより、搬送部１３から放出された硬貨を任意一時保留部１４２に一時的に保留することができる。また、任意一時保留部１４２を第２位置（または第３位置，第４位置，第５位置）に配置して任意一時保留部１４２の下端部を開状態にすることにより、任意一時保留部１４２に一時的に保留されている硬貨を一括箱１７（または返却箱１８，任意硬貨シュートＣ２，判別硬貨収納部１００）に放出することができる。
【０１３６】
実施形態３では、実施形態１と同様に、制御部４０は、入金処理において、投入部１１に投入されて投入部１１から繰り出された硬貨が識別部１２において識別されて識別部１２による識別結果に応じて金種別硬貨収納部１６に搬送されるように硬貨処理装置１の動作を制御する。また、制御部４０は、判別処理において、撮像部１２０により取得された硬貨の画像と操作部４１１（情報入力部）に入力された硬貨に関する情報とを紐付ける。そして、制御部４０は、判別処理において、任意一時保留部１４２（中間集積部２００）に集積されている硬貨について撮像部１２０により撮像された硬貨の画像と操作部４１１（情報入力部）により入力された硬貨に関する情報との紐付けが完了すると、任意一時保留部１４２（中間集積部２００）に集積されている硬貨が判別硬貨収納部１００に放出されるように硬貨処理装置１の動作を制御する。
【０１３７】
なお、実施形態３では、制御部４０は、入金処理において、投入部１１に投入されて投入部１１から繰り出された硬貨が識別部１２において識別されて識別部１２による識別結果に応じて金種別硬貨収納部１６または入金リジェクト部１５に搬送されるように硬貨処理装置１の動作を制御する。
【０１３８】
そして、実施形態３では、制御部４０は、入金処理の後に行われる判別処理において、入金リジェクト部１５から取り出された硬貨を投入部１１に投入することを指示するための情報を出力する。入金リジェクト部１５から取り出された硬貨が投入部１１に投入されると、制御部４０は、投入部１１に投入されて投入部１１から繰り出された硬貨が撮像部１２０において撮像されて任意一時保留部１４２（中間集積部２００）に搬送されるように硬貨処理装置１の動作を制御する。
【０１３９】
〔実施形態３による効果〕
実施形態３による硬貨処理装置１では、実施形態１と同様の効果を得ることができる。例えば、複数枚の硬貨を硬貨処理装置１に投入して硬貨処理装置１に判別処理を行わせることができるので、操作者が複数枚の硬貨を１枚ずつ硬貨処理装置の入金口（入金位置）に載置する場合よりも、複数枚の硬貨を処理する際の操作者の負担を軽減することができる。
【０１４０】
なお、実施形態３において、制御部４０は、実施形態１の変形例１と同様に、入金処理において、投入部１１に投入されて投入部１１から繰り出された硬貨が撮像部１２０において撮像され且つ識別部１２において識別されて識別部１２による識別結果に応じて金種別硬貨収納部１６または任意一時保留部１４２（中間集積部２００）に搬送されるように硬貨処理装置１の動作を制御するものであってもよい。
【０１４１】
また、実施形態３において、制御部４０は、実施形態１の変形例１と同様に、入金処理の後に行われる判別処理において、任意一時保留部１４２（中間集積部２００）に集積されている硬貨について撮像部１２０により取得された硬貨の画像と操作部４１１（情報入力部）に入力された硬貨に関する情報との紐付けが完了すると、任意一時保留部１４２（中間集積部２００）に集積されている硬貨が判別硬貨収納部１００に放出されるように硬貨処理装置１の動作を制御するものであってもよい。
【０１４２】
（その他の実施形態）
以上の説明において、制御部４０は、入金処理において硬貨処理装置１（具体的には金種別硬貨収納部１６）に入金された収納に関する情報（入金情報）と判別処理において硬貨処理装置１（具体的には判別硬貨収納部１００）に収納された硬貨に関する情報（判別情報）とを紐付けて記憶部４３に記憶するように構成されていてもよい。すなわち、判別処理において判別硬貨収納部１００に収納された硬貨は、入金処理において硬貨処理装置１に入金された硬貨として取り扱われてもよい。
【０１４３】
また、以上の説明では、撮像部１２０により得られた複数枚の硬貨の画像が判別処理において１枚ずつ表示部４１２に表示される場合を例に挙げたが、制御部４０は、撮像部１２０により得られた複数枚の硬貨の画像のうち２枚以上の硬貨の画像が表示部４１２に同時に表示されるように表示部４１２を制御するものであってもよい。
【０１４４】
また、以上の説明では、判別処理において１枚の硬貨の画像と１つの情報（硬貨に関する情報）とが紐付けられる場合を例に挙げたが、制御部４０は、複数枚の硬貨の画像に対して１つの情報（硬貨に関する情報）を紐付けるように構成されていてもよい。例えば、複数枚の硬貨の画像に対して複数枚の硬貨の合計金額（または合計枚数）に関する情報が紐付けられていてもよい。例えば、それぞれが１０円の記念貨を示す３枚の硬貨の画像に対して、「３０円」という合計金額に関する情報が紐付けられていてもよいし、「１０円３枚」という合計枚数に関する情報が紐付けられていてもよい。
【０１４５】
また、以上の説明では、撮像部１２０が識別部１２に搭載されている場合を例に挙げたが、撮像部１２０は、識別部１２に搭載されずに、識別部１２と別体に構成されていてもよい。また、撮像部１２０は、硬貨の片面の画像を撮像するように構成されていてもよいし、硬貨の両面の画像を撮像するように構成されていてもよい。
【０１４６】
また、以上の説明では、判別硬貨収納部１００が一括箱１７内に設けられている場合を例に挙げたが、これに限らず、判別硬貨収納部１００は、一括箱１７外に設けられていてもよい。
【０１４７】
また、以上の説明では、硬貨処理装置１が出納機の一部を構成している場合を例に挙げたが、これに限らず、硬貨処理装置１は、出納機以外の機器（例えばオートキャッシャや硬貨釣銭機など）を構成するものであってもよい。
【０１４８】
また、以上の説明では、入金リジェクト部１５の底面部１５ａが開閉可能となっている場合を例に挙げたが、図１８に示すように、入金リジェクト部１５は、その側面部の下端部が開閉可能となっていてもよい。このように構成した場合も入金リジェクト部１５の下端部を開閉可能にすることができる。他の構成（中間一時保留部６０など）についても同様である。
【０１４９】
また、以上の実施形態および変形例を適宜組み合わせて実施してもよい。以上の実施形態および変形例は、本質的に好ましい例示であって、この発明、その適用物、あるいはその用途の範囲を制限することを意図するものではない。
【産業上の利用可能性】
【０１５０】
以上説明したように、ここに開示する技術は、硬貨処理装置に有用である。
【符号の説明】
【０１５１】
１        硬貨処理装置
１０      筐体
１１      投入部
１２      識別部
１２０    撮像部
１３      搬送部
１４      硬貨一時保留部
１４１    金種別一時保留部
１４２    任意一時保留部
１５      入金リジェクト部
１６      硬貨収納部
１７      硬貨一括箱
１８      返却箱
１９      袋
１００    判別硬貨収納部
２００    中間集積部
２１      出金搬送部
２２      出金識別部
２３      出金箱
２４      回収部
３０      包装部
３１      包装硬貨収納部
３２      包装硬貨出金部
３３      包装硬貨一括収納部
３４      包装硬貨投出部
３５      包装硬貨搬送部
４１      操作表示部
４１１    操作部
４１２    表示部
４２      印字部
４３      記憶部
４４      通信部
４０      制御部
５１      撮像部
５２      繰入機構
６０      中間一時保留部
１０１    第１判別硬貨収納部
１０２    第２判別硬貨収納部
【図１】
2019105902.tif 000003
【図２】
2019105902.tif 000004
【図３】
2019105902.tif 000005
【図４】
2019105902.tif 000006
【図５】
2019105902.tif 000007
【図６】
2019105902.tif 000008
【図７】
2019105902.tif 000009
【図８】
2019105902.tif 000010
【図９】
2019105902.tif 000011
【図１０】
2019105902.tif 000012
【図１１】
2019105902.tif 000013
【図１２】
2019105902.tif 000014
【図１３】
2019105902.tif 000015
【図１４】
2019105902.tif 000016
【図１５】
2019105902.tif 000017
【図１６】
2019105902.tif 000018
【図１７】
2019105902.tif 000019
【図１８】
2019105902.tif 000020